【手続補正書】
【提出日】平成24年12月25日(2012.12.25)
【手続補正１】
【補正対象書類名】特許請求の範囲
【補正対象項目名】全文
【補正方法】変更
【補正の内容】
【特許請求の範囲】
【請求項１】
チューナー・デバイスのチューナーを通じて、テレビジョン・コンテンツを受信するステップと、
前記テレビジョン・コンテンツを受信するために前記チューナー・デバイスのチューナーを共有するレンダリング・デバイス間において、共有テレビジョン・セッションを作るステップと、
レンダリング・デバイスにおいてチューナー・コンフィギュレーション入力を受けるステップであって、前記チューナー・コンフィギュレーション入力が、前記テレビジョン・コンテンツを変えるために、前記チューナー・デバイスに伝達される、ステップと、
前記レンダリング・デバイスが、前記テレビジョン・コンテンツを変えるために前記チューナー・コンフィギュレーション入力を開始することを許可された２以上の異なったレンダリング・デバイスのうちの１つであるとき、前記チューナー・コンフィギュレーション入力にしたがって、前記チューナー・デバイスのチューナーを通じて、異なるテレビジョン・コンテンツを受信するステップと、
前記異なるテレビジョン・コンテンツを受信するために前記チューナー・デバイスのチューナーを更に共有する前記レンダリング・デバイスを更新するために、前記チューナー・コンフィギュレーション入力と関連したチューナー更新データーを伝達するステップと、
を含む、方法。
【請求項２】
請求項１記載の方法であって、更に、
追加のレンダリング・デバイスにおいて、ユーザー選択可能な視聴選択肢を表示するステップであって、前記ユーザー選択可能な視聴選択肢が、加入するために選択することができる既存の共有テレビジョン・セッションを含む、ステップと、
前記共有テレビジョン・セッションに加入するために、前記追加のレンダリング・デバイスから加入要求を受けるステップと、
前記チューナー・デバイスのチューナーを通じて前記テレビジョン・コンテンツを受信し、前記追加のレンダリング・デバイスにおける視聴のために前記テレビジョン・コンテンツを表示するために、前記追加のレンダリング・デバイスを前記共有テレビジョン・セッションに加入させるステップと、
を含む、方法。
【請求項３】
請求項２記載の方法であって、更に、
前記追加のレンダリング・デバイスからの前記加入要求を、前記共有テレビジョン・セッションにおいて接続されている前記レンダリング・デバイスのうち１つ以上において表示するステップと、
前記共有テレビジョン・セッションにおいて接続されているレンダリング・デバイスから開始された場合、加入受入入力または加入拒否入力のうち少なくとも１つを受けるステップと、
前記加入拒否入力を受け取った場合、前記追加のレンダリング・デバイスを前記共有テレビジョン・セッションに加入させるのを拒否するステップと、
を含む、方法。
【請求項４】
請求項２または３に記載の方法であって、更に、
前記追加のレンダリング・デバイスが、前記共有テレビジョン・セッションに加入することを前記追加のレンダリング・デバイスに許可する、対応の許可設定を有するか否か判定を行うステップと、
前記共有テレビジョン・セッションにおいて接続されている前記レンダリング・デバイスが、前記追加のレンダリング・デバイスに、それらを前記共有テレビジョン・セッションに加入させることを許可する、対応の許可設定を有するか否か判定を行うステップと、
前記許可設定にしたがって、前記共有テレビジョン・セッションに前記追加のレンダリング・デバイスを加入させるのを拒否するか、または前記許可設定にしたがって、前記追加のレンダリング・デバイスを前記共有テレビジョン・セッションに加入させることのうち少なくとも１つを行うステップと、
を含む、方法。
【請求項５】
請求項２から４のいずれかに記載の方法であって、更に、前記共有テレビジョン・セッションにおいて接続されている前記レンダリング・デバイスにおいて、前記追加のレンダリング・デバイスが前記共有テレビジョン・セッションに加入していることの通知を表示するステップを含む、方法。
【請求項６】
請求項２から５のいずれかに記載の方法であって、更に、前記追加のレンダリング・デバイスから前記加入要求を受けることなく、既存の共有テレビジョン・セッションを選択し、前記追加のレンダリング・デバイスを前記既存の共有テレビジョン・セッションに加入させるステップを含む、方法。
【請求項７】
請求項１から６のいずれかに記載の方法であって、更に、
ユーザーが選択して前記共有テレビジョン・セッションに加入させることができる、利用可能なレンダリング・デバイスを表示するステップと、
前記利用可能なレンダリング・デバイスから選択したものを、前記共有テレビジョン・セッションに加入させるためにユーザーが開始する加入選択を受けるステップと、
前記チューナー・デバイスのチューナーを通じて前記テレビジョン・コンテンツを受信し、前記利用可能なレンダリング・デバイスから選択したものにおける視聴のために、前記テレビジョン・コンテンツを表示するために、前記利用可能なレンダリング・デバイスから選択したものを、前記共有テレビジョン・セッションに加入させるステップと、
を含む、方法。
【請求項８】
請求項１から７のいずれかに記載の方法において、前記レンダリング・デバイスの部分集合が、前記チューナー・コンフィギュレーション入力を開始することを許可されていない、方法。
【請求項９】
請求項１から８のいずれかに記載の方法であって、更に、レンダリング・デバイスにおいてコンテンツ再生入力を受けるステップを含み、前記コンテンツ再生入力が、前記テレビジョン・コンテンツの再生位置を制御するため、または前記テレビジョン・コンテンツの再生速度を制御するためのうち少なくとも１つのために、前記チューナー・デバイスに伝達され、前記共有テレビジョン・セッションにおいて接続されている前記レンダリング・デバイスが、前記コンテンツ再生入力にしたがって、前記テレビジョン・コンテンツを受信する、方法。
【請求項１０】
請求項１から９のいずれかに記載の方法であって、更に、前記共有テレビジョン・セッションのコンフィギュレーション表現を表示するステップを含み、前記コンフィギュレーション表現が、前記共有テレビジョン・セッションにおいて接続されたレンダリング・デバイスをそれぞれ表す画像を含む、方法。
【請求項１１】
共有テレビジョン・セッション・システムであって、
コンテンツ・ディストリビューターからテレビジョン・コンテンツを受信するように構成されたチューナーを含むチューナー・デバイスと、
各々前記チューナー・デバイスのチューナーを通じて、前記テレビジョン・コンテンツを受信するように構成された、レンダリング・デバイスと、
セッション・マネージャーと、
を含み、前記セッション・マネージャーが、
前記テレビジョン・コンテンツを受信するために前記チューナー・デバイスのチューナーを共有するレンダリング・デバイス間において、共有テレビジョン・セッションを作り、
前記テレビジョン・コンテンツを変え始めるために、レンダリング・デバイスにおいて開始されたときに、チューナー・コンフィギュレーション入力を受け取り、
前記レンダリング・デバイスが、前記テレビジョン・コンテンツを変えるために前記チューナー・コンフィギュレーション入力を開始することを許可された２以上の異なったレンダリング・デバイスのうちの１つであるとき、前記チューナー・コンフィギュレーション入力にしたがって、前記チューナーを通じて、異なるテレビジョン・コンテンツを受信するために、前記チューナー・コンフィギュレーション入力の前記チューナー・デバイスへの伝達を開始し、
前記異なるテレビジョン・コンテンツを受信するために前記チューナー・デバイスのチューナーを共有するように更に構成されたレンダリング・デバイスを更新するために、前記チューナー・コンフィギュレーション入力と関連したチューナー更新データーの伝達を開始する、
ように構成された、共有テレビジョン・セッション・システム。
【請求項１２】
請求項１１記載の共有テレビジョン・セッション・システムであって、更に、追加のレンダリング・デバイスと、加入するために選択することができる既存の共有テレビジョン・セッションを含むユーザー選択可能な視聴選択肢を表示するように構成されたディスプレイとを含み、前記セッション・マネージャーが、更に、
前記共有テレビジョン・セッションに加入するための加入要求を、前記追加のレンダリング・デバイスから受け取り、
前記チューナー・デバイスのチューナーを通じて前記テレビジョン・コンテンツを受信し、前記追加のレンダリング・デバイスにおける視聴のために、前記テレビジョン・コンテンツを表示するために、前記追加のレンダリング・デバイスを前記共有テレビジョン・セッションに加入させる、
ように構成された、共有テレビジョン・セッション・システム。
【請求項１３】
請求項１２記載の共有テレビジョン・セッション・システムにおいて、前記セッション・マネージャーが、更に、
前記共有テレビジョン・セッションにおいて接続されている前記レンダリング・デバイスのうち１つ以上において、前記追加のレンダリング・デバイスからの前記加入要求の表示を開始し、
前記共有テレビジョン・セッションにおいて接続されているレンダリング・デバイスから開始される場合、加入受入入力または加入拒否入力のうち少なくとも１つを受け取り、
前記加入拒否入力が受け取られた場合、前記共有テレビジョン・セッションに前記追加のレンダリング・デバイスを加入させるのを拒否する、
ように構成された、共有テレビジョン・セッション・システム。
【請求項１４】
請求項１２または１３に記載の共有テレビジョン・セッション・システムにおいて、前記セッション・マネージャーが、更に、
前記追加のレンダリング・デバイスが、当該追加のレンダリング・デバイスが前記共有テレビジョン・セッションに加入することを許可する、対応の許可設定を有するか否か判定を行い、
前記共有テレビジョン・セッションにおいて接続されている前記レンダリング・デバイスが、前記追加のレンダリング・デバイスに、それらを前記共有テレビジョン・セッションに加入させることを許可する、対応の許可設定を有するか否か判定を行い、
前記許可設定にしたがって、前記共有テレビジョン・セッションに前記追加のレンダリング・デバイスを加入させるのを拒否するか、または前記許可設定にしたがって、前記追加のレンダリング・デバイスを前記共有テレビジョン・セッションに加入させることのうち少なくとも１つを行う、
ように構成された、共有テレビジョン・セッション・システム。
【請求項１５】
請求項１２から１４のいずれかに記載の共有テレビジョン・セッション・システムにおいて、前記セッション・マネージャーは、更に、前記追加のレンダリング・デバイスが前記共有テレビジョン・セッションに加入したときに前記共有テレビジョン・セッションにおいて接続された前記レンダリング・デバイスにおいて通知表示を開始するように構成された、共有テレビジョン・セッション・システム。
【請求項１６】
請求項１２から１５のいずれかに記載の共有テレビジョン・セッション・システムにおいて、前記セッション・マネージャーが、更に、前記追加のレンダリング・デバイスから前記加入要求を受けることなく、既存の共有テレビジョン・セッションを選択し、前記追加のレンダリング・デバイスを前記既存の共有テレビジョン・セッションに加入させるように構成された、共有テレビジョン・セッション・システム。
【請求項１７】
請求項１１から１６のいずれかに記載の共有テレビジョン・セッション・システムにおいて、前記レンダリング・デバイスの部分集合が、前記チューナー・コンフィギュレーション入力を開始することを許可されていない、共有テレビジョン・セッション・システム。